(57)【特許請求の範囲】
【請求項１】
通行を制限する通行阻止部材が設けられた入出口の幅方向に検出波を照射し、物体で反射された反射波を検出することにより前記入出口周辺に位置する物体を検出する物体検出ユニットにおいて、
前記検出波として照射光を照射する光源を有する発光部と、
前記発光部が前記光源により照射した照射光が物体で反射された反射光を前記反射波として受光する受光部と、
物体の仮検出に用いる前記受光部の受光光量の下限を設定する仮検出レベルであって、仮検出した物体までの距離に関係なく一定の値である仮検出レベルを記憶する第１の記憶部と、
仮検出した物体の本検出に用いる前記受光部の受光光量の下限を設定する本検出レベルであって、前記仮検出レベルよりも大きい値であり、且つ、その値を仮検出した物体までの距離に応じて変化させた本検出レベルを記憶する第２の記憶部と、
前記受光部で受光した反射光の受光光量が、前記仮検出レベルが示す値を超えているときに、物体を仮検出するとともに、この仮検出した物体までの距離を算出する測距部と、
前記受光部の受光光量が、前記測距部が算出した仮検出した物体までの距離に対応する本検出レベルの値を超えているかどうかにより、仮検出した物体が物体であるか、物体でないかを判定する判定部と、を備え、
前記第２の記憶部は、前記入出口の幅方向に３つ以上に区分した領域毎に、前記本検出レベルの値を記憶し、
各領域は、物体の誤検出を抑制する誤検出抑制領域、または、物体の見逃しを抑制する見逃し抑制領域のいずれかに設定されており、
前記第２の記憶部が記憶する各領域の本検出レベルの値は、その前記誤検出抑制領域に設定されていれば、前記発光部が前記光源により照射した照射光が当該領域に位置する第１の反射率の物体で反射された反射光にかかる受光光量よりも大きい値であり、反対に、その領域が前記見逃し抑制領域に設定されていれば、前記発光部が前記光源により照射した照射光が当該領域に位置する前記第１の反射率よりも低い第２の反射率の物体で反射された反射光にかかる受光光量よりも小さい値である、物体検出ユニット。
【請求項２】
前記発光部は、前記光源が照射する前記照射光を面照射し、
前記受光部は、マトリクス状に配置した複数の受光素子で反射光を面受光し、
前記測距部が、前記受光素子毎に算出した仮検出した物体までの距離に基づいて、前記発光部が照射光を面照射した照射範囲内に位置する物体の２次元形状を生成する物体形状生成部と、を備えた請求項１に記載の物体検出ユニット。
【請求項３】
前記光源が照射した照射光の照射方向を、直交する２軸方向に走査する走査部と、
前記照射光の照射方向毎に、前記測距部が算出した仮検出した物体までの距離に基づいて、前記走査部が照射光を走査する走査範囲内に位置する物体の２次元形状を生成する物体形状生成部と、を備えた請求項１に記載の物体検出ユニット。
【請求項４】
前記物体形状生成部が生成した物体の２次元形状により、その物体の種類を判別する物体判別部を備えた、請求項２、または３に記載の物体検出ユニット。
【発明の詳細な説明】
【技術分野】
【０００１】
この発明は、物体の有無を検出する物体検出ユニットに関し、特に、扉やチェーン等の通行阻止部材で利用者の通行を制限している入出口の周辺における物体の有無を検出する物体検出ユニットに関する。
【背景技術】
【０００２】
従来、赤外光や、レーザ光を利用して、空間（以下、検出空間と言う。）に位置する物体を検出する物体検出ユニットが様々な装置で利用されている。物体検出ユニットは、発光素子と受光素子とを有し、発光素子を発光させることにより検出波（発光素子から出力される光。）を検出空間に照射し、この検出波が物体に当たって反射された反射波を受光素子で検出（受光）したかどうかにより、検出空間に位置する物体を検出する。
【０００３】
また、物体検出ユニットは、検出空間に位置する物体までの距離（発光素子と物体との距離）の検出も行える。例えば、検出波を正弦波で出力し、検出波と反射波との位相差から物体までの距離を算出するものや、検出波をパルス波で出力し、検出波の照射時刻と反射波の受光時刻との時間差から物体までの距離を算出するものがある。
【０００４】
さらに、物体までの距離と、反射波の受光強度とによって、物体の属性を推定する構成の物体検出装置も提案されている（特許文献１参照）。
【先行技術文献】
【特許文献】
【０００５】
【特許文献１】特開２００７−１１４８３１号公報
【発明の概要】
【発明が解決しようとする課題】
【０００６】
しかしながら、物体検出ユニットは、受光素子で外乱光を受光したり、電気的なノイズによって、検出空間に位置していない物体を誤検出することや、反対に、物体の反射率が低く、検出空間に位置している物体を検出できない（見逃す）ことがある。
【０００７】
物体の有無を判断する検出レベル（受光強度）を大きくすれば、検出空間に位置していない物体の誤検出については抑えられるのであるが、検出空間に位置している物体の見逃しを増大させる。反対に、物体の有無を判断する検出レベルを小さくすれば、検出空間に位置している物体の見逃しについては抑えることはできるが、検出空間に位置していない物体の誤検出を増大させる。このため、検出空間が、位置していない物体の誤検出を抑えたい領域（誤検出抑制空間）と、位置している物体の見逃しを抑えたい領域（見逃し抑制空間）とが混在する空間であると、物体の有無を判断する検出レベルを大きくすれば、見逃し抑制空間での物体の見逃しが増加し、反対に、物体の有無を判断する検出レベルを小さくすれば、誤検抑制空間での物体の誤検出が増加する。
【０００８】
例えば、利用者が通行する入出口が、この入出口に設けた扉やチェーン等を駆動して開閉される場所では、開閉時における扉やチェーン等の駆動を、入出口周辺における人物の有無に応じて制御している。すなわち、扉やチェーンで、入出口周辺にいる人物を挟み込んだり、引っ掛けたりするのを防止している。入出口の両側には、構造物が位置することから、多くの利用者は、通行の妨げになる構造物が位置しない入出口の中央を通る。言い換えれば、通行の妨げになる構造物が位置している入出口の両側部は、比較的通行する人が少ない。このことから、入出口の両側部は、通行者の誤検出を抑えたい領域になるが、入出口の中央は通行者の見逃しを抑えたい領域になる。
【０００９】
この発明の目的は、物体の誤検出を抑えたい領域と、物体の見逃しを抑えたい領域とが、混在する検出空間に対して、領域毎に、その領域に合わせた物体の検出が行える物体検出ユニットを提供することにある。
【課題を解決するための手段】
【００１０】
この発明の物体検出ユニットは、上記課題を解決し、その目的を達するために、以下のように構成している。
【００１１】
この物体検出ユニットは、通行を制限する扉やチェーン等の通行阻止部材が設けられた入出口の幅方向に検出波を照射し、物体で反射された反射波を検出することにより入出口周辺に位置する物体を検出する。通行者の多くは、通行の妨げとなるポールや壁等の構造物を避け、入出口の中央部を通行する。言い換えれば、入出口の両側部を通行する通行者は、中央部に比べて比較的少ない。このことから、入出口の両側部は物体（通行者）の誤検出を抑えたい領域（誤検出抑制領域）になり、入出口の中央部は物体（通行者）の見逃しを抑えたい領域（見逃し抑制領域）になる。
【００１２】
発光部は、光源を有する。この光源は、ＬＥＤやＬＤ等の発光素子である。受光部は、発光部が光源により照射した検出波（照射光）が物体で反射された反射波（反射光）を受光する。受光部は、ＣＣＤやＡＰＤ等の受光素子を有する。
【００１３】
第１の記憶部は、物体の仮検出に用いる受光部の受光光量の下限を設定する仮検出レベルを記憶し、第２の記憶部は、仮検出した物体の本検出に用いる受光部の受光光量の下限を設定する本検出レベルを記憶する。仮検出レベルは、仮検出した物体までの距離に関係なく一定の値である。一方、本検出レベルは、仮検出した物体までの距離に応じて変化する値である（すなわち、本検出レベルは、一定値ではない。）。また、本検出レベルは、仮検出レベルよりも大きい値である。
受光部で受光される反射波の受光光量は、物体までの距離の二乗に反比例し、物体の反射率に比例する。この発明では、本検出レベルを、入出口の幅方向に３つ以上に区分した領域毎に定めている。具体的には、各領域は、誤検出抑制領域、または見逃し抑制領域を設定している。誤検出抑制領域に設定されている領域の本検出レベルは、発光部が光源により照射した照射光が当該領域に位置する第１の反射率の物体で反射された反射光にかかる受光光量よりも大きい値である。また、見逃し抑制領域に設定されている領域の本検出レベルは、発光部が光源により照射した照射光が当該領域に位置する第１の反射率よりも低い第２の反射率の物体で反射された反射光にかかる受光光量よりも小さい値である。上述したように、本検出レベルは、仮検出レベルよりも大きい値である。第１の反射率は、例えば８０％であり、第２の反射率は、例えば３％である。
【００１４】
測距部は、受光部で検出した反射波の受光光量が、記憶部に記憶している仮検出レベルが示す値を超えているときに、物体を仮検出するとともに、この仮検出した物体までの距離を算出する。言い換えれば、測距部は、受光部で検出した反射波の受光光量が、記憶部に記憶している仮検出レベルが示す値に達していないとき、物体を仮検出することがなく、物体までの距離の算出にかかる処理も行わない。
【００１５】
さらに、判定部は、受光光量が、測距部が算出した物体までの距離に対応する本検出レベルの値を超えているかどうかにより、仮検出した物体が物体であるか、物体でないか（物体の誤検出であるかどうか）を判定する。
【００１６】
これにより、物体の誤検出を抑えたい領域と、物体の見逃しを抑えたい領域とが、混在する検出空間に対して、領域毎に、その領域に合わせた物体の検出が精度良く行える。
【００１７】
また、発光部を、光源が照射する照射光（検出波）を面照射し、受光部を、マトリクス状に配置した複数の受光素子で反射光（反射波）を面受光する構成としてもよい。また、物体形状生成部を設け、この物体形状生成部において、測距部がマトリクス状に配置した受光素子毎に算出した仮検出した物体までの距離に基づいて、発光部が照射光を面照射した照射範囲内に位置する物体の２次元形状を生成する構成としてもよい。このように構成すれば、照射範囲内に位置する検出物体の２次元形状を得ることができる。
【００１８】
また、発光させている発光部の照射光（検出波）の照射方向を、直交する２軸方向に走査する走査部を設けるとともに、発光部の照射光の照射方向毎に、測距部が算出した仮検出した物体までの距離に基づいて、走査部が発光素子の照射光を走査する走査範囲内に位置する物体の２次元形状を生成する物体形状生成部を設けてもよい。このように構成しても、検出物体の２次元形状を得ることができる。
【００１９】
さらには、得られた物体の２次元形状に対するパターンマッチング等で、この物体の種類を判別する物体判別部を設けてもよい。
【発明の効果】
【００２０】
この発明によれば、物体の誤検出を抑えたい領域と、物体の見逃しを抑えたい領域とが、混在する検出空間に対して、領域毎に、その領域に合った物体の検出精度の設定が行える。
【図面の簡単な説明】
【００２１】
【図１】駅ホームに設置したホームドアの概略の外観図である。
【図２】物体検出ユニットの主要部の構成を示すブロック図である。
【図３】受光素子の構成を示す図である。
【図４】仮検出レベル、および本検出レベルを示す図である。
【図５】物体検出ユニットの動作を示すフローチャートである。
【図６】別の物体検出ユニットの主要部の構成を示すブロック図である。
【図７】検出空間に対する、検出波の走査を説明する図である。
【図８】別の物体検出ユニットの動作を示すフローチャートである。
【発明を実施するための形態】
【００２２】
以下、この発明の実施形態である物体検出ユニットについて説明する。
【００２３】
まず、この物体検出ユニットを利用する環境について、その例を説明する。ここでは、線路への乗降客の落下を防止する落下防止柵（以下、ホームドアと言う。）を設置した駅ホームを例にする。
【００２４】
図１は、駅ホームに設置したホームドアの概略の外観図である。駅ホームには、図１に示すホームドア１０が、駅ホームの側端部に沿って複数並べて設置されている。図１では、ホームドア１０を１つ示している。図１（Ａ）は、ホームドアが閉している状態であり、図１（Ｂ）は、ホームドアが開している状態である。このホームドア１０は、駅ホームに停車した列車に乗降する乗降客が通行する入出口の両側のそれぞれに設置した戸袋１１を備えている。各戸袋１１には、開閉扉１２がスライド自在に取り付けられている。また、各戸袋１１には、開閉扉１２をスライドさせる機構部（不図示）が設けられているとともに、開閉扉１２を収納する空間が形成されている。ホームドア１０は、開閉扉１２を入出口側にスライドさせることにより、図１（Ａ）に示すように入出口を塞ぎ、入出口における乗降客の通行を禁止する。また、ホームドア１０は、開閉扉１２を戸袋１１側にスライドさせ、戸袋１１内に収納することにより、図１（Ｂ）に示すように入出口を開放し、入出口における乗降客の通行を許可する。
【００２５】
上記説明したように、開閉扉１２は、図１（Ａ）に示す状態と、図１（Ｂ）に示す状態との間で、スライドする。
【００２６】
ホームドア１０は、通常、図１（Ａ）に示す閉状態であり、駅ホームに列車が停車すると、図１（Ｂ）に示す開状態に移行する。駅ホームに停車した列車は、ドアを開する。また、列車に対する乗降客の乗降が完了すると、列車がドアを閉めるとともに、ホームドア１０は開閉扉１２をスライドさせて、図１（Ａ）に示す閉状態に移行する。その後、列車は、駅ホームから発車する。
【００２７】
この発明の実施形態である物体検出ユニットは、ホームドア１０の入出口周辺に位置する人物を検出する。入出口の両側は、戸袋１１が構造物として位置することから、多くのの利用者は、通行の妨げになる構造物（戸袋１１）が位置しない入出口の中央を通る。このため、図１（Ｂ）に示す入出口の両側部である領域Ａ、および領域Ｃは、通行者の誤検出を抑えたい領域である。これに対し、図１（Ｂ）に示す入出口の中央部である領域Ｂは、通行者の見逃しを抑えたい領域である。
【００２８】
なお、ここでは、物体検出ユニット１は、以下に示すように、領域Ａ側の戸袋１１に取り付けており、領域Ｄ側の戸袋１１に向けて、検出波を照射する。また、領域Ｄは、物体が位置する可能性が極めて低く、また、戸袋１１における検出波の反射により、物体を誤検出する可能性が高い領域であることから、物体の有無を検知しない、不検出領域として設定している。
【００２９】
図２は、この物体検出ユニットの主要部の構成を示すブロック図である。この物体検出ユニット１は、制御部２と、測距部３と、発光部３１と、受光部３２と、記憶部５と、出力部６と、を備えている。物体検出ユニット１は、割り当てられている検出空間に位置する物体を検出する。検出空間は、上述したホームドア１０の入出口の周辺に位置する領域Ａ〜Ｃが属する空間である。また、この物体検出ユニット１は、検出した物体の外形形状から、その物体の種類を判別する。
【００３０】
制御部２は、物体検出ユニット１本体各部の動作を制御するとともに、後述する処理を行い、検出空間に位置する物体の検出、および、検出した物体の種類判別を行う。
【００３１】
発光部３１は、光源としてＬＥＤを有している。発光部３１は、光源であるＬＥＤを発光させ、このＬＥＤの照射光を検出波として検出空間に面照射する。受光部３２は、図３に示すように、複数のＣＣＤ３３ａをマトリクス状に配置した受光素子３３を有し、発光部３１が検出空間に照射光を面照射しているときに、その反射光（検出波）を面受光する。受光素子３３は、縦方向、横方向に５０〜２００程度のＣＣＤ３３ａをマトリクス状に配置している。発光部３１は、ＬＥＤの照射光を検出空間に面照射する光学系を有し、受光部３２は、検出空間からの反射光を面受光するための光学系を有している。
【００３２】
測距部３は、発光部３１が検出空間に面照射した照射光を反射した物体までの距離（発光部３１と、物体との距離）を算出する。物体までの距離の算出は、発光部３１が正弦波で面照射した検出波と、受光部３２が受光素子３３で受光した反射波と、の位相差から物体までの距離を算出する位相差方式で行う。測距部３は、マトリクス状に配置しているＣＣＤ３３ａ毎に、位相差方式による物体までの距離の算出を行う。位相差方式による距離の算出については、周知であるので、ここでは詳細な説明を省略する。
【００３３】
記憶部５は、検出空間に位置する物体の検出に用いる、仮検出レベル、および本検出レベルを記憶している。仮検出レベルは、検出空間に位置する物体の仮検出に用いる閾値である。本検出レベルは、仮検出された物体が、外乱光や電気的ノイズ等の影響を受けて、誤検出された物体であるか、実際に存在する物体であるかの判別に用いる閾値である。仮検出レベル、および本検出レベルは、ＣＣＤ３３ａの受光光量を規定する。
【００３４】
図４は、仮検出レベル、および本検出レベルの設定例を示す図である。上述したように、駅ホームに停車した列車の乗降客の多くは、戸袋１１が通行の妨げになることから、入出口の両側部付近（図１に示した領域Ａや領域Ｃ）ではなく、入出口の中央部付近（図１に示した領域Ｂ）を通行する。このことから、戸袋１１付近の領域Ａや領域Ｃは、乗降客の誤検出を抑えたい領域になる。一方、２つの戸袋１１の中央付近である領域Ｂは、乗降客の通行が多く、また、閉状態に移行している開閉扉１２による乗降客や、乗降客の荷物の挟み込みを防止する観点から、乗降客や、乗降客の荷物の見逃しを抑えたい領域になる。
【００３５】
この物体検出ユニット１では、領域Ａ〜領域Ｃのそれぞれに対して、以下に示すように、本検出レベルを設定している。
【００３６】
図４では、横軸が物体検出ユニット１を取り付けた領域Ａ側の戸袋１１から物体までの距離であり、縦軸がＣＣＤ３３ａの受光光量である。ＣＣＤ３３ａにおける反射光の受光光量は、物体の反射率に比例し、物体までの距離の二乗に反比例する。仮検出レベルは、図４に示すように、ＣＣＤ３３ａの受光光量の下限を、物体までの距離に関係なく一定の値Ｘに規定している。
【００３７】
また、図４に破線で示す曲線Ａは、反射率が８０％程度の物体（例えば、表面が白い物体）で照射光が反射されたときにおけるＣＣＤ３３ａの受光光量を表す曲線である。また、破線で示す曲線Ｂは、反射率が３％程度の物体（例えば、表面が黒色のフェルト生地）で照射光が反射されたときにおけるＣＣＤ３３ａの受光光量を表す曲線である。上述したように、ＣＣＤ３３ａにおける反射光の受光光量は、物体までの距離の二乗に反比例することから、曲線Ａ、および曲線Ｂは、物体までの距離が長くなるにつれて、小さくなる。
【００３８】
戸袋１１付近の領域Ａ、および領域Ｃは、乗降客の誤検出を抑えたい領域であるので、曲線Ａに基づいて、本検出レベルを設定している。具体的には、領域Ａ、および領域Ｃは、本検出レベルを曲線Ａで示される受光光量よりも大きくしている。一方、２つの戸袋１１の中央に位置する領域Ｂは、乗降客や、乗降客の荷物の見逃しを抑えたい領域であるので、曲線Ｂに基づいて、本検出レベルを設定している。具体的には、領域Ｂは、本検出レベルを曲線Ｂで示される受光光量よりも小さくしている。記憶部５は、領域毎に、その領域の範囲と、本検出レベルと、を対応づけて記憶する。
【００３９】
なお、仮検出レベルＸは、上述の本検出レベルの最小レベル（この例では、領域Ｂの本検出レベル）よりも小さい。言い換えれば、各領域Ａ〜Ｃの本検出レベルは、仮検出レベルＸよりも大きい。
【００４０】
出力部６は、上位装置であるホームドア１０に接続されており、検出空間における人物の検出結果をホームドア１０に通知する。
【００４１】
次に、この物体検出ユニット１の動作について説明する。図５は、物体検出ユニットの動作を示すフローチャートである。
【００４２】
物体検出ユニット１は、発光部３１により検出空間を面照射する（ｓ１）。測距部３は、受光部３２が有する受光素子３３のＣＣＤ３３ａ毎に、受光光量が仮検出レベルＸ以上であるかどうかを判定し（ｓ２）、仮検出レベル以上であれば、物体の仮検出を行う（ｓ３）。ｓ３では、物体を仮検出したＣＣＤ３３ａ毎に、この仮検出した物体までの距離を算出し、ここで算出した距離、および受光光量を対応づけて記憶部５に記憶する。
【００４３】
なお、ｓ２で受光光量が仮検出レベルＸ未満であると判定したＣＣＤ３３ａについては、ｓ３にかかる処理を行わない。また、仮検出レベルＸ未満であると判定したＣＣＤ３３ａについては、物体が位置していないと判断する。
【００４４】
物体検出ユニット１は、受光素子３３の全てのＣＣＤ３３ａについて、ｓ２、ｓ３にかかる処理が完了すると、ｓ３で物体を仮検出したＣＣＤ３３ａ毎に、算出した物体までの距離が領域Ａ〜領域Ｃ内であるかどうかを判定する（ｓ５）。この物体検出ユニット１は、領域Ａ〜領域Ｃ以外の空間については、その空間における物体の有無を検出しない。物体検出ユニット１は、ｓ５で、算出した物体までの距離が領域Ａ〜領域Ｃ内でないと判定すると（不検出領域であると判定すると）、以下に示す本検出処理を行うことなく、ｓ７で物体でないと判定する。
【００４５】
物体検出ユニット１は、ｓ５で、不検出領域でない（領域Ａ〜領域Ｃ内である）と判定すると、ＣＣＤ３３ａの受光光量が、その物体が位置する領域（領域Ａ〜領域Ｃ）について、記憶部５に記憶している本検出レベル以上であるかどうかを判定する（ｓ６）。物体検出ユニット１は、ｓ６で、ＣＣＤ３３ａの受光光量が、その物体が位置する領域について記憶している本検出レベル未満であると判定すると、仮検出した物体を、誤検出した物体（すなわち、仮検出した物体は、物体でない。）と判定する（ｓ７）。一方、物体検出ユニット１は、ｓ６で、ＣＣＤ３３ａの受光光量が、その物体が位置する領域について記憶している本検出レベル以上であると判定すると、仮検出した物体を、その位置に存在する物体であると判定（確定）する（ｓ８）。
【００４６】
物体検出ユニット１は、上述のｓ５〜ｓ８にかかる処理を行うことによって、領域Ａや領域Ｃにおいて、外乱光の影響や、電気的なノイズによって誤検出された物体を、物体として本検出するのを抑えられる。言い換えれば、領域Ａや領域Ｃにおける物体の誤検出が抑えられる。また、領域Ｂにおいては、照射光が照射された物体の反射率が低い場合や、照射光が照射された物体における照射光の反射方向のズレ等によって、ＣＣＤ３３ａでの受光量が小さくなった場合であっても、物体でないとする見逃しが抑えられる（物体であると判定できる。）。言い換えれば、領域Ｂにおける物体の見逃しが抑えられる。
【００４７】
物体検出ユニット１は、ｓ３で物体を仮検出した全てのＣＣＤ３３ａについて、ｓ５〜ｓ８にかかる処理を完了すると（ｓ９）、ｓ８で物体であると確定したＣＣＤ３３ａに対応する検出波の照射位置を、距離に基づいてグルーピングする（ｓ１０）。ｓ１０では、同じ物体からの反射波を検出したＣＣＤ３３ａをグルーピングしている。また、このグルーピングにより、検出空間に位置し、今回検出した物体毎に、その外形形状を得ることができる。
【００４８】
物体検出ユニット１は、ｓ１０にかかる処理で得られた物体の外形形状から、その物体の種類を判別する（ｓ１１）。ｓ１１では、ｓ１０で得られた今回検出した物体の外形形状と、物体の種類毎に予め記憶部５に登録している外形形状と、のパターンマッチングにより、その物体の種類を判別する。例えば、記憶部５に、カバン、傘、人間の足、人間の頭等の外形形状を登録しておき、検出した物体の外形形状から、その種別を判別する。記憶部５に外形形状を登録しておく物体の種類は、この物体検出ユニット１の検出空間で検出される物体に応じて決めればよい。
【００４９】
物体検出ユニット１は、今回の物体の検出結果を出力部６から上位装置であるホームドア１０に出力し（ｓ１２）、ｓ１に戻る。
【００５０】
なお、ホームドア１０は、物体検出ユニット１における物体の検出結果に応じて、開閉扉１２の開閉動作を制御する。具体的には、物体検出ユニット１が物体を検出しているとき、開閉扉１２の開閉動作を禁止する。
【００５１】
このように、この物体検出ユニット１は、乗降客の誤検出を抑えたい領域Ａや領域Ｃに対しては、曲線Ａに基づいて、本検出レベルを比較的高めに設定し、乗降客や、乗降客の荷物の見逃しを抑えたい領域Ｂに対しては、曲線Ｂに基づいて、本検出レベルを比較的低めに設定している。このため、物体の誤検出を抑えたい領域と、物体の見逃しを抑えたい領域とが、混在する検出空間であっても、領域毎に、その領域に合った物体の検出精度の設定が行える。
【００５２】
なお、検出空間を区分する領域は、上述した領域Ａ〜領域Ｃの３つの区分に限らず、４つ以上に区分してもよい。
【００５３】
次に、この発明の別の実施形態について説明する。図６は、この物体検出ユニットの主要部の構成を示すブロック図である。この物体検出ユニット１も、上述の図１に示したホームドア１０の入出口周辺に位置する人物を検出する。この物体検出ユニット１は、制御部２と、測距部３と、発光部３１と、受光部３２と、走査部４と、記憶部５と、出力部６と、を備えている。この物体検出ユニット１も、上記の例と同様に、割り当てられている検出空間（図１に示す領域Ａ〜領域Ｃ）に位置する物体を検出するとともに、検出した物体の外形形状から、その物体の種類を判別する。
【００５４】
なお、この例の物体検出ユニット１も、上述した例と同様に、領域Ａ側の戸袋１１に取り付けており、領域Ｄ側の戸袋１１に向けて、照射光（検出波）を照射する。
【００５５】
制御部２は、物体検出ユニット１本体各部の動作を制御するとともに、後述する処理を行い、検出空間に位置する物体の検出、および、検出した物体の種類判別を行う。
【００５６】
発光部３１は、光源としてＬＤを有している。発光部３１は、光源であるＬＤを発光させ、検出波（レーザ光）を検出空間に照射する。受光部３２は、受光素子としてＡＰＤを有している。受光部３２のＡＰＤは、検出空間に照射され、物体で反射された反射光（反射波）を受光する。また、測距部３は、反射光を反射した物体までの距離（発光部３１のＬＤと、物体との距離）を算出する。物体までの距離の算出は、発光部３１のＬＤが検出波として照射したパルス光の照射時刻と、受光部３２のＡＰＤが反射光を受光した受光時刻と、の時間差から物体までの距離を算出する時間差方式で行う。この時間差方式による距離の算出については、周知であるので、ここでは詳細な説明を省略する。
【００５７】
走査部４は、検出空間内において、発光部３１から照射される検出波を走査する。具体的には、走査部４は、図７に示すように、検出空間に対して、発光部３１のＬＤの照射光を主走査方向、および副走査方向に走査する。主走査方向は、ホームドア１０の入出口における乗降客の通行方向であり、副走査方向は、鉛直方向である。図７では、検出空間を２次元で示しているが、実際には、紙面に対して垂直な方向（領域Ａ側の戸袋１１から領域Ｄ側の戸袋１１）に延びる３次元空間である。走査部４は、直交する２軸（主走査方向、および副走査方向）について、軸毎に設けたミラー（不図示）を個別に駆動して発光部３１のＬＤから照射される照射光の照射方向を変化させる。照射光は、紙面の前方から、後方に向けて照射される。
【００５８】
記憶部５は、上記の例と同様に、検出空間に位置する物体の検出に用いる、仮検出レベル、および本検出レベルを記憶している（図４参照）。
【００５９】
出力部６も、上記の例と同様に、検出空間における物体の検出結果を、接続されている上位装置に出力する。
【００６０】
次に、この物体検出ユニット１の動作について説明する。図８は、物体検出ユニットの動作を示すフローチャートである。
【００６１】
物体検出ユニット１は、走査部４が発光部３１から照射される照射光により、検出領域の走査を開始する（ｓ２１）。ｓ２１では、走査部４は、主走査方向に照射光を走査し、１ラインの走査が完了すると、照射光の照射方向を副走査方向に１段下げて、再度照射光を主走査方向に走査する処理を繰り返すことによって、図７に示す検出空間全体を照射光で走査する処理を開始する。図７において、検出空間内に示すドットが、物体の有無を検出する点である。
【００６２】
測距部３は、走査部４が走査している照射光の照射位置毎に、受光部３２の受光光量が仮検出レベルＸ以上であるかどうかを判定し（ｓ２２）、仮検出レベル以上であれば、物体の仮検出を行う（ｓ２３）。ｓ２３では、仮検出した物体までの距離を算出し、ここで算出した距離、このときの受光部３２の受光光量、および照射光の照射位置を対応づけて記憶部５に記憶する。
【００６３】
なお、ｓ２２で受光部３２の受光光量が仮検出レベルＸ未満であると判定したときには、ｓ２３にかかる処理を行わない。また、仮検出レベルＸ未満であると判定したときの照射光の照射位置については、物体が位置していないと判断する。
【００６４】
物体検出ユニット１は、検出空間に対する２次元走査が完了すると（ｓ２４）、ｓ２３で物体を仮検出した照射光の照射位置毎に、算出した物体までの距離が領域Ａ〜領域Ｃ内であるかどうかを判定する（ｓ２５）。この物体検出ユニット１は、領域Ａ〜領域Ｃ以外の空間については、その空間における物体の有無を検出しない。物体検出ユニット１は、ｓ２５で、算出した物体までの距離が領域Ａ〜領域Ｃ内でないと判定すると（不検出領域であると判定すると）、以下に示す本検出処理を行うことなく、ｓ２７で物体でないと判定する。
【００６５】
物体検出ユニット１は、ｓ２５で、不検出領域でないと判定すると、受光部３２の受光光量が、その物体が位置する領域（領域Ａ〜領域Ｃ）について、記憶部５に記憶している本検出レベル以上であるかどうかを判定する（ｓ２６）。物体検出ユニット１は、ｓ２６で、受光部３２の受光光量が、その物体が位置する領域について記憶している本検出レベル未満であると判定すると、仮検出した物体を、誤検出した物体（すなわち、仮検出した物体は、物体でない。）と判定する（ｓ２７）。一方、物体検出ユニット１は、ｓ２６で、受光部３２の受光光量が、その物体が位置する領域について記憶している本検出レベル以上であると判定すると、仮検出した物体を、その位置に存在する物体であると判定（確定）する（ｓ２８）。
【００６６】
上述のｓ２５〜ｓ２８にかかる処理を行うことによって、領域Ａや領域Ｃにおいて、外乱光の影響や、電気的なノイズによって誤検出された物体を、物体として本検出するのを抑えられる。言い換えれば、領域Ａや領域Ｃにおける物体の誤検出が抑えられる。また、領域Ｂにおいては、照射光が照射された物体の反射率が低い場合や、照射光が照射された物体における照射光の反射方向のズレ等によって、受光部３２での受光量が小さくなった場合であっても、物体でないとする見逃しが抑えられる（物体であると判定できる。）。言い換えれば、領域Ｂにおける物体の見逃しが抑えられる。
【００６７】
物体検出ユニット１は、ｓ２３で物体を仮検出した検出波の全ての照射位置について、ｓ２５〜ｓ２８にかかる処理を完了すると（ｓ２９）、ｓ２８で物体であると確定した照射光の照射位置を、距離に基づいてグルーピングする（ｓ３０）。ｓ３０では、同じ物体からの反射光を検出した照射光の照射位置をグルーピングしている。また、このグルーピングにより、検出空間に位置し、今回検出した物体毎に、その外形形状を得ることができる。
【００６８】
物体検出ユニット１は、ｓ３０にかかる処理で得られた物体の外形形状から、その物体の種類を判別し（ｓ３１）、今回の物体の検出結果を出力部６から上位装置であるホームドア１０に出力し（ｓ３２）、ｓ２１に戻る。ｓ３１、およびｓ３２にかかる処理は、それぞれ、上述したｓ１１、ｓ１２と同じ処理である。
【００６９】
なお、ホームドア１０は、物体検出ユニット１における物体の検出結果に応じて、開閉扉１２の開閉動作を制御する。具体的には、物体検出ユニット１が物体を検出しているとき、開閉扉１２の開閉動作を禁止する。
【００７０】
このように、この物体検出ユニット１も、乗降客の誤検出を抑えたい領域Ａや領域Ｃに対しては、曲線Ａに基づいて、本検出レベルを比較的高めに設定し、乗降客や、乗降客の荷物の見逃しを抑えたい領域Ｂに対しては、曲線Ｂに基づいて、本検出レベルを比較的低めに設定している。このため、物体の誤検出を抑えたい領域と、物体の見逃しを抑えたい領域とが、混在する検出空間であっても、領域毎に、その領域に合った物体の検出精度の設定が行える。
【００７１】
また、検出空間を区分する領域は、上述した領域Ａ〜領域Ｃの３つの区分に限らず、４つ以上に区分してもよい。
【００７２】
なお、上記の例では、ホームドア１０の開閉扉１２は、水平方向にスライドする構成としたが、上下方向にスライドする構成あってもよい。
【００７３】
また、ここでは、物体検出ユニット１は、ホームドア１０における入出口周辺の物体を検出する場合を例にして説明したが、駐車場や工事現場等における入出口周辺の物体を検出するユニットとしても利用できる。
【符号の説明】
【００７４】
１…物体検出ユニット
２…制御部
３…測距部
４…走査部
５…記憶部
６…出力部
１０…ホームドア
１１…戸袋
１２…開閉扉
３１…発光部
３２…受光部
３３…受光素子
３３ａ…ＣＣＤ
【図１】
0005621650.tif 000002
【図２】
0005621650.tif 000003
【図３】
0005621650.tif 000004
【図４】
0005621650.tif 000005
【図５】
0005621650.tif 000006
【図６】
0005621650.tif 000007
【図７】
0005621650.tif 000008
【図８】
0005621650.tif 000009